(57)【要約】【課題】予備苗供給コンベアにおいて、搬送始端部上に供給される予備苗が転動ローラ間の隙間に落ち込むことを防止する。【解決手段】乗用型田植機の機体側部に設けられ、機体前方から機体後部まで予備苗Ｙを搬送する予備苗供給コンベア７であって、該予備苗供給コンベア７は、予備苗搬送方向に所定の間隔を存して配置される複数の転動ローラ１０と、搬送始端部上に供給される予備苗Ｙが転動ローラ１０間の隙間に落ち込むことを防止する供給ガイド１６とを備え、転動ローラ１０は、左右のローラ部１０ａと、左右のローラ部１０ａ間に位置し、ローラ部１０ａよりも小径に形成されるローラ軸部１０ｂとを備え、供給ガイド１６は、平面視において左右のローラ部１０ａ間で、側面視においてローラ部１０ａの上端下方で、かつ、ローラ軸部１０ｂの上端上方に設けられる。【選択図】図５
2008079553.tif 000002
【特許請求の範囲】
【請求項１】
移植機の機体側部に設けられ、機体前方から機体後部まで予備苗を搬送する予備苗供給コンベアであって、
該予備苗供給コンベアは、
予備苗搬送方向に所定の間隔を存して配置される複数の転動ローラと、
搬送始端部上に供給される予備苗が転動ローラ間の隙間に落ち込むことを防止する供給ガイドとを備え、
前記転動ローラは、
左右のローラ部と、
左右のローラ部間に位置し、ローラ部よりも小径に形成されるローラ軸部とを備え、
前記供給ガイドは、
平面視において左右のローラ部間で、側面視においてローラ部の上端下方で、かつ、ローラ軸部の上端上方に設けられる
ことを特徴とする予備苗供給コンベア。
【請求項２】
前記供給ガイドは、複数の転動ローラ間に架け渡し状に設けられることを特徴とする請求項１記載の予備苗供給コンベア。
【発明の詳細な説明】
【技術分野】
【０００１】
本発明は、乗用型田植機などの移植機に設けられる予備苗供給コンベアに関する。
【背景技術】
【０００２】
乗用型田植機などの移植機の機体側部に設けられ、機体前方から機体後部まで予備苗（マット苗＋苗箱）を搬送する予備苗供給コンベアが知られている。例えば、特許文献１に記載される予備苗供給コンベアは、左右枠の間に転動ローラを多数設けたローラコンベアからなり、予備苗を畔際から供給するときは、畦際から搬送始端部に供給される予備苗を連続的に機体側に搬送でき、また、非供給時は、前側コンベアや後側コンベアを折り畳むことができるだけでなく、折り畳んだコンベア上にも予備苗を載置できるように構成されている。
【０００３】
【特許文献１】特開２００５−１７６６８０号公報
【発明の開示】
【発明が解決しようとする課題】
【０００４】
しかしながら、上記従来の予備苗供給コンベアでは、畔際から予備苗供給コンベアの搬送始端部に予備苗を供給する際に、予備苗を傾けて予備苗供給コンベア上に置こうとすると、予備苗の前端部が転動ローラ間の隙間に落ち込み、予備苗を予備苗供給コンベア上にスムーズに供給できないことがあった。
【課題を解決するための手段】
【０００５】
本発明は、上記の如き実情に鑑みこれらの課題を解決することを目的として創作されたものであって、移植機の機体側部に設けられ、機体前方から機体後部まで予備苗を搬送する予備苗供給コンベアであって、該予備苗供給コンベアは、予備苗搬送方向に所定の間隔を存して配置される複数の転動ローラと、搬送始端部上に供給される予備苗が転動ローラ間の隙間に落ち込むことを防止する供給ガイドとを備え、前記転動ローラは、左右のローラ部と、左右のローラ部間に位置し、ローラ部よりも小径に形成されるローラ軸部とを備え、前記供給ガイドは、平面視において左右のローラ部間で、側面視においてローラ部の上端下方で、かつ、ローラ軸部の上端上方に設けられることを特徴とする。
このようにすると、搬送始端部上に供給される予備苗が転動ローラ間の隙間に落ち込むことを供給ガイドで防止し、予備苗を予備苗供給コンベア上にスムーズに供給することが可能になる。また、供給ガイドは、左右のローラ部間に設けられているので、搬送経路の左右中央部で予備苗の落ち込みを確実に防止することができる。さらに、供給ガイドは、ローラ部の上端下方で、かつ、ローラ軸部の上端上方に設けられているので、予備苗の下面に接触して搬送を邪魔することがないだけでなく、落ち込みを規制した予備苗をスムーズにローラ部上に誘導することができる。
また、前記供給ガイドは、複数の転動ローラ間に架け渡し状に設けられることを特徴とする。
このようにすると、供給ガイドの取付部を別途設ける必要がないだけでなく、供給ガイドの着脱が容易になる。
【発明を実施するための最良の形態】
【０００６】
次に、本発明の実施形態について、図面に基づいて説明する。図１及び図２において、１は乗用型田植機（移植機）の走行機体であって、該走行機体１の後部には、昇降リンク機構２を介して植付部３が連結されている。植付部３には、前高後低状に傾斜した苗載台４が設けられ、ここに複数のマット苗Ｍが左右並列状に載置される。苗載台４に載置されたマット苗Ｍは、苗載台４の傾斜や縦送り機構５の送り作用により苗載台４の下端部まで移送される。苗載台４の下端部近傍には、植付爪を備える植付機構６が設けられており、この植付機構６によってマット苗Ｍが分離され、圃場に植え付けられる。
【０００７】
走行機体１の左右両側部には、機体前方から機体後部まで予備苗Ｙ（苗箱Ｂに収容されたマット苗Ｍ）を搬送する予備苗供給コンベア７がステー８を介して取り付けられている。予備苗供給コンベア７は、左右枠９の間に転動ローラ１０を多数設けたローラコンベアからなり、予備苗Ｙを畔際から供給する際、畦際から搬送始端部に供給される予備苗Ｙを連続的に機体側に搬送することができる。
【０００８】
本実施形態の予備苗供給コンベア７は、ステー８に固定状態で取り付けられる中間コンベア１１と、中間コンベア１１の前端部に上下回動自在に連結される前側コンベア１２と、中間コンベア１１の後端部に上下回動自在に連結される後側コンベア１３とを備えて構成されており、予備苗非供給時は、前側コンベア１２や後側コンベア１３を中間コンベア１１上に折り畳むことができると共に、折り畳んだコンベア上やコンベア間にも、予備苗Ｙを載置できるようになっている。
【０００９】
本実施形態では、中間コンベア１１、前側コンベア１２及び後側コンベア１３を共通の部品を用いて構成している。共通の部品としては、前述した左右枠９、転動ローラ１０の他、左右枠９同士を連結する前後枠１４及び補強枠１５が含まれる。各コンベア１１〜１３における転動ローラ１０の配置間隔は、任意に設定することが可能であるが、予備苗供給コンベア７の製造コストを考慮すると、予備苗Ｙの載置や搬送に問題が生じない範囲で可及的に大きくし、転動ローラ１０の本数を削減することが好ましい。
【００１０】
しかしながら、予備苗供給コンベア７の搬送始端部において、転動ローラ１０の配置間隔を広くすると、予備苗Ｙを傾けて予備苗供給コンベア７の搬送始端部に供給したとき、予備苗Ｙの前端部が転動ローラ１０間の隙間に落ち込み、予備苗Ｙを予備苗供給コンベア７上にスムーズに供給できないという問題が生じる可能性がある。
本発明は、このような問題を解決することを目的としており、具体的には、予備苗供給コンベア７の搬送始端部に、予備苗Ｙが転動ローラ１０間の隙間に落ち込むことを防止する供給ガイド１６を設けることにより、上記の問題を解決する。
以下、本実施形態の予備苗供給コンベア７（転動ローラ１０）及び供給ガイド１６について、図３〜図６を参照して説明する。
【００１１】
これらの図に示すように、予備苗供給コンベア７の転動ローラ１０は、左右のローラ部１０ａと、左右のローラ部１０ａ間に位置し、ローラ部１０ａよりも小径に形成されるローラ軸部１０ｂとを備えており、予備苗Ｙは、左右のローラ部１０ａ上に載置され、その回転に応じて搬送される。
供給ガイド１６は、予備苗Ｙが転動ローラ１０間の隙間に落ち込むことを防止可能な形状を有しており、平面視において左右のローラ部１０ａ間に位置すると共に、側面視においてローラ部１０ａの上端下方で、かつ、ローラ軸部１０ｂの上端上方に位置するように設けられる。このようにすると、搬送始端部上に供給される予備苗Ｙが転動ローラ１０間の隙間に落ち込むことを防止し、予備苗Ｙを予備苗供給コンベア７上にスムーズに供給することが可能になるだけでなく、供給ガイド１６を、左右のローラ部１０ａ間に設けることにより、搬送経路の左右中央部で予備苗Ｙの落ち込みを確実に防止することが可能になる。しかも、供給ガイド１６は、ローラ部１０ａの上端下方で、かつ、ローラ軸部１０ｂの上端上方に設けられているので、予備苗Ｙの下面に接触して搬送を邪魔することがないだけでなく、落ち込みを規制した予備苗Ｙをスムーズにローラ部１０ａ上に誘導することが可能になる。
また、供給ガイド１６は、複数の転動ローラ１０間に架け渡し状に設けられることが好ましい。このようにすると、供給ガイド１６の取付部を別途設ける必要がないだけでなく、供給ガイド１６の着脱が容易になる。
【００１２】
上記の要件を満たす供給ガイド１６は、図５及び図６に示すように、弾性線材を用いて容易に形成することができる。例えば、本実施形態の供給ガイド１６は、複数の転動ローラ１０のローラ軸部１０ｂ間に架け渡され、予備苗Ｙの落ち込みを規制する左右の落ち込み規制部１６ａと、落ち込み規制部１６ａの前端部に湾曲状に形成され、前側の転動ローラ１０のローラ軸部１０ｂに引っ掛けられる左右の前側フック部１６ｂと、落ち込み規制部１６ａの後端部に湾曲状に形成され、後側の転動ローラ１０のローラ軸部１０ｂに引っ掛けられる後側フック部１６ｃとが曲げ加工された一本の弾性線材からなり、コスト的に極めて有利である。
【００１３】
叙述の如く構成された本実施形態によれば、乗用型田植機の機体側部に設けられ、機体前方から機体後部まで予備苗Ｙを搬送する予備苗供給コンベア７であって、該予備苗供給コンベア７は、予備苗搬送方向に所定の間隔を存して配置される複数の転動ローラ１０と、搬送始端部上に供給される予備苗Ｙが転動ローラ１０間の隙間に落ち込むことを防止する供給ガイド１６とを備え、転動ローラ１０は、左右のローラ部１０ａと、左右のローラ部１０ａ間に位置し、ローラ部１０ａよりも小径に形成されるローラ軸部１０ｂとを備え、供給ガイド１６は、平面視において左右のローラ部１０ａ間で、側面視においてローラ部１０ａの上端下方で、かつ、ローラ軸部１０ｂの上端上方に設けられている。
【００１４】
このようにすると、搬送始端部上に供給される予備苗Ｙが転動ローラ１０間の隙間に落ち込むことを防止し、予備苗Ｙを予備苗供給コンベア７上にスムーズに供給することが可能になるだけでなく、供給ガイド１６を、左右のローラ部１０ａ間に設けることにより、搬送経路の左右中央部で予備苗Ｙの落ち込みを確実に防止することができる。しかも、供給ガイド１６は、ローラ部１０ａの上端下方で、かつ、ローラ軸部１０ｂの上端上方に設けられているので、予備苗Ｙの下面に接触して搬送を邪魔することがないだけでなく、落ち込みを規制した予備苗Ｙをスムーズにローラ部１０ａ上に誘導することができる。
【００１５】
また、供給ガイド１６は、複数の転動ローラ１０間に架け渡し状に設けられるので、供給ガイド１６の取付部を別途設ける必要がないだけでなく、供給ガイド１６の着脱が容易になる。
【図面の簡単な説明】
【００１６】
【図１】予備苗供給コンベアが設けられた乗用型田植機の側面図である。
【図２】予備苗供給コンベアが設けられた乗用型田植機の平面図である。
【図３】予備苗供給コンベアの搬送始端部（予備苗水平状態）を示す側面図である。
【図４】予備苗供給コンベアの搬送始端部（予備苗傾斜状態）を示す側面図である。
【図５】予備苗供給コンベアの搬送始端部を示す平面図である。
【図６】（Ａ）は供給ガイドの平面図、（Ｂ）は供給ガイドの側面図である。
【符号の説明】
【００１７】
１      走行機体
３      植付部
４      苗載台
７      予備苗供給コンベア
８      ステー
９      左右枠
１０    転動ローラ
１０ａ  ローラ部
１０ｂ  ローラ軸部
１１    中間コンベア
１２    前側コンベア
１３    後側コンベア
１４    前後枠
１５    補強枠
１６    供給ガイド
１６ａ  規制部
１６ｂ  前側フック部
１６ｃ  後側フック部
Ｂ      苗箱
Ｍ      マット苗
Ｙ      予備苗
【図１】
2008079553.tif 000003
【図２】
2008079553.tif 000004
【図３】
2008079553.tif 000005
【図４】
2008079553.tif 000006
【図５】
2008079553.tif 000007
【図６】
2008079553.tif 000008